(57)【要約】【課題】部外者の進入を確実に防ぐ竪坑用防護柵を提供する。【解決手段】防護柵１０は、略垂直に穿設された竪坑９の矩形の開口９０の周囲を囲うことができる。防護柵１０は、第１グレーチング１、一対の第２グレーチング２・２、一対の連結具３・３、及びチェーン４を備える。第１グレーチング１は、開口９０を閉塞すると共に、開口９０の一対の第１側辺の一辺側と回転自在に連結して起立できる。一対の第２グレーチング２・２は、一対の第２側辺に連なる内壁に沿って出没可能に配置され、開口９０の一対の第２側辺に突出して起立できる。一対の連結具３・３は、第１グレーチング１と一対の第２グレーチング２・２を相互に連結できる。チェーン４は、これらの第２グレーチング２・２に架け渡されて、部外者の進入を阻止できる。【選択図】図１
2014047562.tif 000002
【特許請求の範囲】
【請求項１】
略垂直に穿設された竪坑の矩形の開口の周囲を囲う竪坑用防護柵であって、
前記開口を閉塞すると共に、前記開口の一対の第１側辺の一辺側と回転自在に連結する起立可能な矩形の第１グレーチングと、
一対の前記第１側辺と略直交する一対の第２側辺に連なる内壁に沿って出没可能に配置され、前記開口から突出して起立可能な一対の矩形の第２グレーチングと、
前記第１グレーチング及び一対の前記第２グレーチングが起立状態になるように、前記第１グレーチングと一対の前記第２グレーチングを相互に連結する一対の連結具と、
前記開口の一対の第１側辺の他辺側に位置するように、一対の前記第２グレーチングに架け渡されて、人の進入を阻止するチェーンと、を備える竪坑用防護柵。
【請求項２】
前記第２グレーチングの両側面に回転自在及びスライド自在に連結した連結ピンを先端部に有し、基端部が前記第２側辺の上端部に回転自在に支持された一対の対向配置された回動アームを更に備え、
前記第２グレーチングは、前記連結ピンを案内し、上端部から下端部に至る長穴を両側面に有し、
前記連結ピンが前記長穴の上端部側に係止して前記第２グレーチングを吊り下げた状態から、当該第２グレーチングを引き上げて外側に移動すると、当該第２グレーチングが起立状態で載置可能な段差を前記第２側辺の上端部に有する請求項１記載の竪坑用防護柵。
【請求項３】
前記第２グレーチングが前記段差に起立した状態で、当該第２グレーチングが前記第１グレーチングに向かって移動できるように、前記第２グレーチングを間に一対の前記回動アームを所定の間隔を設けて配置している請求項２記載の竪坑用防護柵。
【請求項４】
前記連結具は、
前記第２グレーチングの上部の隅部に穿設されたスリット溝に回転自在に保持されたフック部材と、
前記フック部材の基端部に固定した回動軸と、
前記回動軸に連設し、前記第２グレーチングの一方の面から突出した回転ノブと、を有し、
前記フック部材は、前記回転ノブを一方の方向に回転すると、前記第１グレーチングに係合する鉤部を先端部に設けている請求項１から３のいずれかに記載の竪坑用防護柵。
【請求項５】
前記第２グレーチングは、前記チェーンの端部を繋留可能な突起部を有する請求項１から４のいずれかに記載の竪坑用防護柵。
【請求項６】
略垂直に穿設された竪坑の矩形の開口の周囲を囲う竪坑用防護柵の防護方法であって、前記開口を閉塞すると共に、前記開口の一対の第１側辺の一辺側と回転自在に連結する起立可能な矩形の第１グレーチングと、一対の前記第１側辺と略直交する一対の第２側辺に連なる内壁に沿って出没可能に配置され、前記開口から突出して起立可能な一対の矩形の第２グレーチングと、前記第１グレーチング及び一対の前記第２グレーチングが起立状態になるように、前記第１グレーチングと一対の前記第２グレーチングを相互に連結する一対の連結具と、前記開口の一対の第１側辺の他辺側に位置するように、一対の前記第２グレーチングに架け渡されて、人の進入を阻止するチェーンと、を備える竪坑用防護柵において、
前記第１グレーチングを開いて、当該第１グレーチングを前記開口の一対の第１側辺の一辺側に起立させる第１ステップと、
一対の前記第２グレーチングを前記開口から突出させて、当該第２グレーチングを前記開口の一対の第２側辺に起立させる第２ステップと、
前記第１グレーチングと一対の前記第２グレーチングを相互に連結する第３ステップと、
前記開口の一対の第１側辺の他辺側に位置するように、一対の前記第２グレーチングに前記チェーンを架け渡して、人の進入を阻止する第４ステップと、を含んでいる竪坑用防護柵の防護方法。
【発明の詳細な説明】
【技術分野】
【０００１】
本発明は、竪坑用防護柵に関する。特に、略垂直に穿設された竪坑に部外者が容易に進入できないように、竪坑の開口の周囲を囲う防護柵の構造に関する。
【背景技術】
【０００２】
発電所などでは、作業員が内部に入れる矩形の開口を有する竪坑が敷地内や建物内に設けられている。通常、これらの竪坑の開口は、素材を格子状に組んだグレーチングで閉塞されている。そして、作業員が竪坑の内部に入るときには、グレーチングが取り外され、竪坑の開口の周囲に複数のセーフティコーンを設置すると共に、これらのセーフティコーンの間にコーンバーを架け渡して、部外者が竪坑に進入できないように、注意を喚起していた。
【０００３】
セーフティコーンとコーンバーが組み合わされた防護対策は、部外者が竪坑に進入できないように、注意を喚起することはできる。しかし、これらのセーフティコーンは、「重し」を付加して起立させているだけであり、部外者の進入を確実に防ぐことが困難であった。
【０００４】
このような不具合を解消するため、竪坑の開口を閉塞する一対のグレーチング、及びこれらのグレーチングを覆う一対の側枠を備え、これらのグレーチング及び側枠を起立させて、竪坑の開口の四方を囲う防護柵が開示されている（例えば、特許文献１参照）。
【０００５】
又、このような不具合を解消するため、竪坑の開口を閉塞する一対のグレーチング、及びこれらのグレーチングを覆う一対の側枠を備え、これらのグレーチング及び側枠を起立させて、竪坑の開口の四方を囲うと共に、一方の側枠が外側に倒れ、竪坑への出入りを容易にした防護柵が開示されている（例えば、特許文献２参照）。
【先行技術文献】
【特許文献】
【０００６】
【特許文献１】実開平５−５７２４３号公報
【特許文献２】特開平９−２５６６５８号公報
【発明の概要】
【発明が解決しようとする課題】
【０００７】
特許文献１による防護柵は、一対のグレーチングにカウンタウェイトを設けて、これらのグレーチングを起伏自在に構成しているので、組立が容易であるという利点がある。しかし、特許文献１による防護柵は、一対のグレーチング及び側枠を起立させて、竪坑の開口の四方を囲っているので、作業員が竪坑に出入りするには不便である、という問題がある。
【０００８】
一方、特許文献２による防護柵は、一方の側枠が外側に倒れるように構成しているので、作業員が竪坑へ出入りすることは容易である。しかし、特許文献２による防護柵は、作業員が竪坑へ出入りするためには、一方の側枠を乗り越えるか、又は一方の側枠上を歩行する必要があるという問題がある。部外者の進入を確実に防ぐと共に、作業員が竪坑へ容易に出入りできる竪坑用防護柵が求められている。そして、以上のことが本発明の課題といってよい。
【０００９】
本発明は、このような課題に鑑みてなされたものであり、部外者の進入を確実に防ぐと共に、作業員が竪坑へ容易に出入りできる竪坑用防護柵を提供することを目的とする。
【課題を解決するための手段】
【００１０】
本発明者は、竪坑の開口を閉塞する開閉可能な第１グレーチングと、竪坑の内壁に沿ってスライド可能な一対の第２グレーチングを備え、これらの第１及び第２グレーチングを起立させて相互に連結することで、竪坑の開口の三方を防護する共に、第１グレーチングに対向する開放された部分には、一対の第２グレーチングの間にチェーンを架け渡すことにより、部外者の進入を確実に防ぐと共に、チェーンを取り外して、作業員が竪坑へ容易に出入りできると考え、これに基づいて、以下のような新たな竪坑用防護柵を発明するに至った。
【００１１】
（１）本発明による竪坑用防護柵は、略垂直に穿設された竪坑の矩形の開口の周囲を囲う竪坑用防護柵であって、前記開口を閉塞すると共に、前記開口の一対の第１側辺の一辺側と回転自在に連結する起立可能な矩形の第１グレーチングと、一対の前記第１側辺と略直交する一対の第２側辺に連なる内壁に沿って出没可能に配置され、前記開口から突出して起立可能な一対の矩形の第２グレーチングと、前記第１グレーチング及び一対の前記第２グレーチングが起立状態になるように、前記第１グレーチングと一対の前記第２グレーチングを相互に連結する一対の連結具と、前記開口の一対の第１側辺の他辺側に位置するように、一対の前記第２グレーチングに架け渡されて、人の進入を阻止するチェーンと、を備える。
【００１２】
（２）本発明による竪坑用防護柵は、前記第２グレーチングの両側面に回転自在及びスライド自在に連結した連結ピンを先端部に有し、基端部が前記第２側辺の上端部に回転自在に支持された一対の対向配置された回動アームを更に備え、前記第２グレーチングは、前記連結ピンを案内し、上端部から下端部に至る長穴を両側面に有し、前記連結ピンが前記長穴の上端部側に係止して前記第２グレーチングを吊り下げた状態から、当該第２グレーチングを引き上げて外側に移動すると、当該第２グレーチングが起立状態で載置可能な段差を前記第２側辺の上端部に有することが好ましい。
【００１３】
（３）本発明による竪坑用防護柵は、前記第２グレーチングが前記段差に起立した状態で、当該第２グレーチングが前記第１グレーチングに向かって移動できるように、前記第２グレーチングを間に一対の前記回動アームを所定の間隔を設けて配置していることが好ましい。
【００１４】
（４）前記連結具は、前記第２グレーチングの上部の隅部に穿設されたスリット溝に回転自在に保持されたフック部材と、前記フック部材の基端部に固定した回動軸と、前記回動軸に連設し、前記第２グレーチングの一方の面から突出した回転ノブと、を有し、前記フック部材は、前記回転ノブを一方の方向に回転すると、前記第１グレーチングに係合する鉤部を先端部に設けていることが好ましい。
【００１５】
（５）前記第２グレーチングは、前記チェーンの端部を繋留可能な突起部を有することが好ましい。
【００１６】
（６）本発明による竪坑用防護柵の防護方法は、略垂直に穿設された竪坑の矩形の開口の周囲を囲う竪坑用防護柵の防護方法であって、前記開口を閉塞すると共に、前記開口の一対の第１側辺の一辺側と回転自在に連結する起立可能な矩形の第１グレーチングと、一対の前記第１側辺と略直交する一対の第２側辺に連なる内壁に沿って出没可能に配置され、前記開口から突出して起立可能な一対の矩形の第２グレーチングと、前記第１グレーチング及び一対の前記第２グレーチングが起立状態になるように、前記第１グレーチングと一対の前記第２グレーチングを相互に連結する一対の連結具と、前記開口の一対の第１側辺の他辺側に位置するように、一対の前記第２グレーチングに架け渡されて、人の進入を阻止するチェーンと、を備える竪坑用防護柵において、前記第１グレーチングを開いて、当該第１グレーチングを前記開口の一対の第１側辺の一辺側に起立させる第１ステップと、一対の前記第２グレーチングを前記開口から突出させて、当該第２グレーチングを前記開口の一対の第２側辺に起立させる第２ステップと、前記第１グレーチングと一対の前記第２グレーチングを相互に連結する第３ステップと、前記開口の一対の第１側辺の他辺側に位置するように、一対の前記第２グレーチングに前記チェーンを架け渡して、人の進入を阻止する第４ステップと、を含んでいる。
【発明の効果】
【００１７】
本発明による竪坑用防護柵は、竪坑の開口を閉塞する第１グレーチングを開いて起立させると共に、一対の第２グレーチングを竪坑の内部から引き上げて、竪坑の開口に起立するように突出して、これらの第２グレーチングを第１グレーチングに連結することで、竪坑の開口の三方を防護できる。開放された他方の部分には、一対の第２グレーチングにチェーンを架け渡すことにより、部外者の進入を確実に防ぐと共に、チェーンを取り外すことにより作業員が竪坑へ容易に出入りできる。
【図面の簡単な説明】
【００１８】
【図１】本発明の一実施形態による竪坑用防護柵の構成を示す斜視図であり、竪坑の開口の周囲を防護している状態図である。
【図２】前記実施形態による竪坑用防護柵の平面図であり、第１グレーチングが竪坑の開口を閉塞している状態図である。
【図３】前記実施形態による竪坑用防護柵の平面図であり、第１グレーチングを開いて起立させ、第２グレーチングが竪坑の内部に収容されている状態図である。
【図４】前記実施形態による竪坑用防護柵の縦断面図であり、図３のＸ−Ｘ矢視断面図である。
【図５】前記実施形態による竪坑用防護柵の縦断面図であり、第１グレーチング及び一対の第２グレーチングを起立させた状態を図３のＹ−Ｙ矢視断面から観ている。
【図６】前記実施形態による竪坑用防護柵の平面図であり、第１グレーチング及び一対の第２グレーチングを起立させた状態図である。
【図７】前記実施形態による竪坑用防護柵に備わる第２グレーチングの連結機構の構成を示す斜視分解組立図である。
【図８】前記実施形態による竪坑用防護柵に備わる第２グレーチングの要部拡大図であり、図８（Ａ）は、一方の第２グレーチングの左側面図であり、第２グレーチングの底面が竪坑の段差に当接した状態図、図８（Ｂ）は、一方の第２グレーチングの左側面図であり、第２グレーチングの底面が竪坑の段差から離反した状態図、図８（Ｃ）は、図８（Ｂ）の右側面図である。
【図９】前記実施形態による竪坑用防護柵の防護方法の手順を示す概略図であり、上段に平面図を示し、下段に縦断面図を示すと共に、図９（Ａ）は、第１グレーチングを起立させた状態図、図９（Ｂ）は、他方の第２グレーチングを起立させた状態図、図９（Ｃ）は、一方の第２グレーチングを起立させた状態図、図９（Ｄ）は、一対の第２グレーチングの間にチェーンを架け渡した状態図である。
【発明を実施するための形態】
【００１９】
以下、図面を参照して本発明を実施するための形態を説明する。
［竪坑用防護柵の構成］
最初に、本発明の一実施形態による竪坑用防護柵の構成を説明する。
【００２０】
図１は、本発明の一実施形態による竪坑用防護柵の構成を示す斜視図であり、竪坑の開口の周囲を防護している状態図である。図２は、前記実施形態による竪坑用防護柵の平面図であり、第１グレーチングが竪坑の開口を閉塞している状態図である。図３は、前記実施形態による竪坑用防護柵の平面図であり、第１グレーチングを開いて起立させ、第２グレーチングが竪坑の内部に収容されている状態図である。
【００２１】
図４は、前記実施形態による竪坑用防護柵の縦断面図であり、図３のＸ−Ｘ矢視断面図である。図５は、前記実施形態による竪坑用防護柵の縦断面図であり、第１グレーチング及び一対の第２グレーチングを起立させた状態を図３のＹ−Ｙ矢視断面から観ている。図６は、前記実施形態による竪坑用防護柵の平面図であり、第１グレーチング及び一対の第２グレーチングを起立させた状態図である。
【００２２】
（全体構成）
図１から図６を参照すると、本発明の一実施形態による竪坑用防護柵（以下、防護柵と略称する）１０は、矩形の第１グレーチング１と一対の矩形の第２グレーチング２・２を備えている。又、防護柵１０は、第１グレーチング１と一対の第２グレーチング２・２を相互に連結する一対の連結具３・３を備えている。更に、防護柵１０は、一対の第２グレーチング２・２に架け渡されるチェーン４を備えている。
【００２３】
図２又は図４を参照すると、第１グレーチング１は、通常、竪坑９の開口９０を閉塞している（図４参照）。又、第１グレーチング１は、開口９０の一対の第１側辺の一辺側に配置されたブラケット９１と回転自在に連結している。
【００２４】
図４を参照すると、第１グレーチング１の一端部は、平型蝶番９１ｈを介して、ブラケット９１と回転自在に連結している。第１グレーチング１の他端部は、ブラケット９３に載置されている。第１グレーチング１の他端部を把持して開くことができ、図１又は図４に示されるように、開口９０の一対の第１側辺の一辺側に起立することができる。
【００２５】
図３又は図４を参照すると、一対の第２グレーチング２・２は、通常、竪坑９の内部に収容されている。一対の第２グレーチング２・２は、一対の第１側辺と略直交する一対の第２側辺に連なる内壁９ｗ・９ｗに沿って出没可能に配置されている（図５参照）。又、第２グレーチング２は、取っ手２ｎを把持して竪坑９の内部から引き上げることができる（図１又は図３参照）。そして、一対の第２グレーチング２・２を開口９０の一対の第２側辺に配置された一対のブラケット９２ａ・９２ｂに起立することができる（図５参照）。なお、第２グレーチング２の連結機構の構成は、後述する。
【００２６】
図４又は図５を参照すると、第１グレーチング１が開口９０を閉塞した状態では、一対の第２グレーチング２・２を竪坑９の内部に収容している。この場合、第１グレーチング１の表面は、例えば、地面Ｇと面一の状態になっている。つまり、一対のブラケット９２ａ・９２ｂ及びブラケット９３は、第１グレーチング１の厚さ程度の段差を設けている。そして、一対の第２グレーチング２・２に妨げられることなく、第１グレーチング１の上を人や乗り物が通行できる。
【００２７】
引き続き、実施形態による防護柵１０の構成を説明する。図７は、前記実施形態による竪坑用防護柵に備わる第２グレーチングの連結機構の構成を示す斜視分解組立図である。図８は、図８（Ａ）は、一方の第２グレーチングの左側面図であり、第２グレーチングの底面が竪坑の段差に当接した状態図、図８（Ｂ）は、一方の第２グレーチングの左側面図であり、第２グレーチングの底面が竪坑の段差から離反した状態図、図８（Ｃ）は、図８（Ｂ）の右側面図である。
【００２８】
（連結具の構成）
図１又は図３及び図６又は図７を参照すると、連結具３は、フック部材３１、回動軸３２、及び回転ノブ３３を備えている。フック部材３１は、第２グレーチング２の上部の隅部に穿設されたスリット溝２ｓに回転自在に保持されている。回動軸３２は、フック部材３１の基端部に固定されている。又、回動軸３２は、第２グレーチング２に設けた開口を両面側から塞ぐ封止板３２ｂによって両軸支持されている（図１参照）。回転ノブ３３は、回動軸３２に連設し、第２グレーチング２の一方の面から突出している。
【００２９】
図１又は図７を参照すると、フック部材３１は、鉤部３１ａを先端部に設けている。図１又は図７に示すように、第２グレーチング２の一方の側面を第１グレーチング１の一方の面に当接した状態で、回転ノブ３３を一方の方向に回転すると、鉤部３１ａを第１グレーチング１に係合できる。回転ノブ３３を他方の方向に回転すると、鉤部３１ａを第１グレーチング１から解放でき、フック部材３１が第２グレーチング２の上面から突出しないように、フック部材３１をスリット溝２ｓの内部に収容できる。
【００３０】
（チェーンの構成）
図１を参照すると、チェーン４は、環状体が連鎖されている。一方、第２グレーチング２は、チェーン４の端部を繋留可能な突起部２ｂを有している。図１に示されるように、一対の第２グレーチング２・２を起立させて対向配置した状態では、一対の突起部２ｂ・２ｂにチェーン４を架け渡すことができ、部外者の進入を阻止できる。チェーン４の中央部には、立ち入りを禁止した旨を表示した札４ｆを吊るしておくことが好ましい。
【００３１】
（第２グレーチングの連結機構の構成）
次に、第２グレーチング２の連結機構の構成を説明する。図７又は図８を参照すると、実施形態による防護柵１０は、一対の対向配置された回動アーム５・５を備えている。これらの回動アーム５・５は、第２グレーチング２の両側面に回転自在及びスライド自在に連結した連結ピン５ｐを先端部に有している。
【００３２】
図７又は図８を参照すると、実施形態による防護柵１０は、一対の対向配置された軸受ブロック６・６を更に備えている。これらの軸受ブロック６・６は、一対のブラケット９２ａ・９２ｂの両端部に底面側から固定されている。又、一対の軸受ブロック６・６は、相反する向きに軸受ピン６ｐ・６ｐを突出している。
【００３３】
一方、図７を参照すると、回動アーム５は、軸受ピン６ｐに嵌合する穴５ｈを基端部に開口している。軸受ピン６ｐを穴５ｈに挿入して、回動アーム５の基端部を回転自在に軸受ブロック６で保持している。つまり、回動アーム５の基端部は、開口９０の第２側辺の上端部に回転自在に支持されている。
【００３４】
図１又は図７及び図８を参照すると、第２グレーチング２は、連結ピン５ｐを案内し、上端部から下端部に至る長穴２ｈを両側面に有している。図８（Ｂ）に示すように、連結ピン５ｐが長穴２ｈの上端部側に係止しているときは、第２グレーチング２を吊り下げることができる（図４参照）。
【００３５】
一方、図８を参照して、第２グレーチング２を引き上げて外側に移動すると、第２グレーチングを起立状態でブラケット９２ａ又はブラケット９２ｂに載置できる。つまり、第２グレーチングを起立状態で、開口９０の第２側辺の上端部に載置できる。図８（Ａ）を参照して、第２グレーチング２を引き上げて、内側に移動すると、図４に示すように、一対の回動アーム５・５で第２グレーチング２を吊り下げることができる。
【００３６】
図７を参照して、第２グレーチング２がブラケット９２ａ又はブラケット９２ｂに起立した状態で、第２グレーチング２を第１グレーチング１に向かって移動できる。又、第２グレーチング２を第１グレーチング１から離反するように移動できる。このように、一対の回動アーム５・５は、第２グレーチング２を間に所定の間隔を設けて配置している。
【００３７】
［竪坑用防護柵の作用］
次に、実施形態による防護柵１０の防護方法を説明しながら、防護柵１０の作用及び効果を説明する。
【００３８】
図９は、前記実施形態による竪坑用防護柵の防護方法の手順を示す概略図であり、上段に平面図を示し、下段に縦断面図を示すと共に、図９（Ａ）は、第１グレーチングを起立させた状態図、図９（Ｂ）は、他方の第２グレーチングを起立させた状態図、図９（Ｃ）は、一方の第２グレーチングを起立させた状態図、図９（Ｄ）は、一対の第２グレーチングの間にチェーンを架け渡した状態図である。
【００３９】
最初に、図９（Ａ）に示されるように、第１グレーチング１を開いて、起立させる。次に、図９（Ｂ）に示されるように、他方の第２グレーチング２を引き上げて、起立させる。次に、他方の第２グレーチング２を第１グレーチング１に向けて移動し、連結具３を用いて、第１グレーチング１に係合する。次に、図９（Ｃ）に示されるように、一方の第２グレーチング２を引き上げて、起立させる。次に、一方の第２グレーチング２を第１グレーチング１に向けて移動し、連結具３を用いて、第１グレーチング１に係合する。
【００４０】
これにより、図９（Ｄ）に示されるように、一対の第１グレーチング１及び一対の第２グレーチング２・２が相互に連結されて、傾倒することが阻止される。そして、図９（Ｄ）に示されるように、一対の第２グレーチング２・２の間にチェーン４を架け渡すことで、一連の作業を終了する。なお、図１又は図９（Ｄ）に示されるように、チェーン４には、立ち入りを禁止した旨を表示した札４ｆを吊るしておくことが好ましい。
【００４１】
図１を参照すると、実施形態による防護柵１０は、竪坑９の開口９０を閉塞する第１グレーチング１を開いて起立させると共に、一対の第２グレーチング２を竪坑９の内部から引き上げて、竪坑９の開口９０に起立するように突出して、これらの第２グレーチング２・２を第１グレーチング１に連結することで、竪坑９の開口９０の三方を防護できる。開放された他方の部分には、一対の第２グレーチング２・２にチェーン４を架け渡すことにより、部外者の進入を確実に防ぐことができる。
【００４２】
又、図１を参照すると、作業員が竪坑９に入る場合は、開放された他方の部分に設けたチェーン４を一旦、取り外して竪坑９に進入した後に、チェーン４を架け渡すことが好ましい。実施形態による防護柵１０は、従来のように、一方の側枠が外側に倒れないので、作業員が竪坑へ容易に出入りできる。
【００４３】
図３又は図６を参照すると、竪坑９は、作業員が昇降可能なタラップ９ｔを備えている。タラップ９ｔは、開口９０の一対の第１側辺の他辺側から下方に延びる内壁に設置されている。作業員は、タラップ９ｔを伝わって竪坑９に下降できる。又、作業員は、タラップ９ｔを伝わって竪坑９を昇ることができる。
【００４４】
実施形態による防護柵１０は、以下の効果が期待できる。
（１）竪坑９への進入防止対策が迅速に実施できる。
（２）竪坑９の開口９０の三方をグレーチングで防護することにより、小物が竪坑９へ落下することを防止できる。
（３）安全対策用具を別途、用意する必要がなく、防護柵１０を組み立てる手順で安全対策を実施できる。
（４）竪坑９は、グレーチングで囲われていない開放側の内壁にタラップ９ｔを設置しているので、竪坑９の昇降が容易である。
【００４５】
図１又は図９を参照して、チェーン４は、ステンレス環などを連鎖した金属チェーンであってもよく、硬質のプラスチック環を連鎖したプラスチックチェーンであってもよい。又、チェーン４に替えて、ロープや紐体を用いることも可能である。
【００４６】
図１から図９を参照して、第１グレーチング１及び第２グレーチング２は、アルミニウムを成形することが好ましく、第２グレーチング２は、エンジニアリング・プラスチックなどで成形することがより好ましい。
【００４７】
本発明による竪坑用防護柵は、地面に穿設される竪坑に好適な実施形態を示したが、これに限定されない。本発明による竪坑用防護柵は、建物内に穿設される竪坑にも応用することができる。
【符号の説明】
【００４８】
１  第１グレーチング
２  第２グレーチング
３  連結具
４  チェーン
９  竪坑
１０  防護柵（竪坑用防護柵）
９０  開口
【図１】
2014047562.tif 000003
【図２】
2014047562.tif 000004
【図３】
2014047562.tif 000005
【図４】
2014047562.tif 000006
【図５】
2014047562.tif 000007
【図６】
2014047562.tif 000008
【図７】
2014047562.tif 000009
【図８】
2014047562.tif 000010
【図９】
2014047562.tif 000011